(57)【要約】【課題】針曲がりや針折れを防止することができるとともに、低コストで容易に製造することのできる注射針を提供する。【解決手段】針本体３の軸方向に移動自在に設けられた針カバー４を備え、針本体３を覆うキャップ５をハブ２から取外すと、キャップ５に設けた係止部５ｃが針カバー４の第１の係止部４ａに係止して針カバー４がキャップ５と共に針本体３の先端側に移動し、針カバー４によって針本体３の先端側が覆われるようにしたので、キャップ５の取外時または取外後に針本体３に曲げ方向の外力が直接加わることがない。また、キャップ５と針カバー４との係止により針カバー４を針本体３の先端側に移動させることができるので、針カバー４を針本体３の先端側に移動させるためのスプリングを用いたり、或いは針カバー４を伸縮自在な複雑な形状にする必要もない。【選択図】図６
2005152541.tif 000002
【特許請求の範囲】
【請求項１】
注射器本体の注射液吐出口に装着される装着部材と、装着部材に保持された針本体と、針本体を覆うように装着部材に着脱自在に取付けられるキャップとを備え、キャップを付けた装着部材を注射器本体に装着し、キャップを装着部材から取外して使用する注射針において、
前記針本体の軸方向に移動自在に設けられ、針本体の基端側に移動することにより針本体の先端側を露出させ、針本体の先端側に移動することにより針本体の先端側を覆うカバー部材を備え、
前記キャップにはカバー部材に係止してキャップと共にカバー部材を針本体の先端側に移動させる係止部を設けた
ことを特徴とする注射針。
【請求項２】
前記装着部材に針本体の先端側に向かって軸方向に延びる延出部を設けるとともに、
前記カバー部材を筒状に形成して延出部に軸方向に移動自在に係合した
ことを特徴とする請求項１記載の注射針。
【請求項３】
前記カバー部材の軸方向所定位置にキャップの係止部を係止する係止部を設けるとともに、
キャップの係止部を弾性変形によりカバー部材の係止部を軸方向に乗り越えるように形成した
ことを特徴とする請求項１または２記載の注射針。
【請求項４】
前記カバー部材の係止部をカバー部材の径方向に突出するようにフランジ状に形成するとともに、
前記キャップの係止部をキャップの内周面の複数箇所に互いに周方向に間隔をおいて突設した
ことを特徴とする請求項３記載の注射針。
【発明の詳細な説明】
【技術分野】
【０００１】  本発明は、薬液の注入、採血、透析等に用いられる注射針に関するものである。
【背景技術】
【０００２】  一般に、注射針を患者に穿刺する場合には、患者の皮膚が針先によって切り裂かれて針管の太さ分だけ押し広げられるため、患者に苦痛を与える場合が多い。そこで、針管の外径を小さくすれば患者の痛みを軽減することができるが、針管は細くなるほど折れやすいため、例えばインスリン等の薬液を患者自身で穿刺する場合など、医療行為に不慣れな者による場合には、注射針のキャップを取外す際などに針に曲げ方向の無用な外力が加わり、針曲がりや針折れを生ずるおそれがある。【０００３】  そこで、針曲がりや針折れを防止するようにした注射針として、針本体に軸方向に移動自在な筒状の針カバーを取付け、針カバーをスプリングによって針先方向に付勢するようにしたものが知られている（例えば、特許文献１参照。）。また、他の注射針として、針本体の軸方向に伸縮自在な蛇腹状の針カバーを備え、針カバーを伸長させることによって針本体を覆うようにしたものも知られている（例えば、特許文献２参照。）。【０００４】
【特許文献１】      特開平３−１３９３６３号公報
【０００５】
【特許文献２】      特開平６−１６２９５号公報
【発明の開示】
【発明が解決しようとする課題】
【０００６】  しかしながら、前者の場合はスプリングを用いている分だけ部品点数が多くなり、製造コストが高くつくという問題点があった。また、後者の場合は、針カバー自体を伸縮させるために、針カバーが蛇腹状の複雑な形状となり、製造時の加工が容易でないという問題点があった。【０００７】  本発明は前記問題点を解決するためになされたものであり、その目的とするところは、針曲がりや針折れを防止することができるとともに、低コストで容易に製造することのできる注射針を提供することにある。
【課題を解決するための手段】
【０００８】  本発明は前記課題を達成するために、注射器本体の注射液吐出口に装着される装着部材と、装着部材に保持された針本体と、針本体を覆うように装着部材に着脱自在に取付けられるキャップとを備え、キャップを付けた装着部材を注射器本体に装着し、キャップを装着部材から取外して使用する注射針において、前記針本体の軸方向に移動自在に設けられ、針本体の基端側に移動することにより針本体の先端側を露出させ、針本体の先端側に移動することにより針本体の先端側を覆うカバー部材を備え、前記キャップにはカバー部材に係止してキャップと共にカバー部材を針本体の先端側に移動させる係止部を設けている。【０００９】  これにより、キャップを装着部材から取外すと、キャップの係止部がカバー部材に係止してカバー部材がキャップと共に針本体の先端側に移動し、カバー部材によって針本体の先端側が覆われることから、キャップの取外時または取外後に針本体に曲げ方向の外力が直接加わることがない。また、カバー部材を針本体の先端側に移動させるためのスプリングを用いたり、或いはカバー部材を伸縮自在な複雑な形状にする必要がない。
【発明の効果】
【００１０】  本発明の注射針によれば、キャップを取外すと、カバー部材によって針本体の先端側が覆われるようにしたので、キャップの取外時または取外後に針本体に曲げ方向の外力が直接加わることがなく、針曲がりや針折れを確実に防止することができる。この場合、キャップとカバー部材との係止によりカバー部材を針本体の先端側に移動させることができるので、カバー部材を針本体の先端側に移動させるためのスプリングを用いたり、或いはカバー部材を伸縮自在な複雑な形状にする必要がなく、低コストで容易に製造することができる。
【発明を実施するための最良の形態】
【００１１】  以下、図１乃至図８を参照し、本発明の一実施形態について説明する。即ち、図１は本発明の注射針が装着される注射器の斜視図、図２は針カバー及びハブの側面断面図、図３はキャップの側面断面図、図４は注射針の装着工程を示す斜視図、図５及び図６はその側面断面図、図７は人体への穿刺動作を示す側面断面図、図８はキャップの装着工程を示す斜視図である。【００１２】  本実施形態の注射針は、注射器本体１に装着される装着部材としてのハブ２と、ハブ２に保持された針本体３と、針本体３の軸方向に移動自在に設けられたカバー部材としての針カバー４と、針本体３を覆うようにハブ２に着脱自在に取付けられるキャップ５とを備えている。【００１３】  注射器本体１は一端に注射液吐出口１ａを有し、その内部にはインスリン等の注射液Ａが充填されている。注射液吐出口１ａは針本体３を貫通可能なゴム部材１ｂによって閉塞され、注射液吐出口１ａの外周面にはハブ２を装着するためのネジ部１ｃが形成されている。【００１４】  ハブ２は一端面を閉塞した円筒状の合成樹脂の成型品からなり、その一端面中央には軸方向に延びる延出部２ａが設けられている。延出部２ａはハブ２の一端面から針本体３を覆うように針先方向に向かって延び、延出部２ａによって針本体３が保持されている。延出部２ａの先端側には針カバー４に係止する係止部２ｂが設けられ、係止部２ｂは径方向外側に拡大するように形成されている。また、ハブ２の外周面には軸方向に延びる複数のリブ２ｃが互いに周方向に間隔をおいて突設され、ハブ２の内周面には注射器本体１のネジ部１ｃに螺合可能なネジ部２ｄ（図示簡略）が形成されている。【００１５】  針本体３は先端を鋭利に形成された金属管からなり、その先端側及び基端側をそれぞれハブ２の延出部２ａから外部に突出させている。【００１６】  針カバー４は両端を開口した円筒状の合成樹脂の成型品からなり、ハブ２の延出部２ａに軸方向に移動自在に係合している。針カバー４の軸方向一端側（針本体３の先端側）にはキャップ５に係止する第１の係止部４ａが設けられ、第１の係止部４ａは径方向外側に突出するようにフランジ状に形成されている。針カバー４はその内径を延出部２ａの外径よりも大きく形成されるとともに、その軸方向他端側（針本体３の基端側）には延出部２ａの係止部２ｃに係止する第２の係止部４ｂが設けられ、第２の係止部４ｂは径方向内側に突出するように形成されている。即ち、針カバー４は、延出部２ａに沿って針本体３の基端側に移動することにより針本体３の先端側を露出させ、針本体３の先端側に移動することにより針本体３の先端側を覆うようになっている。また、針カバー４が針本体３の先端側に移動すると、第２の係止部４ｂが延出部２ａの係止部２ｂに軸方向に係止し、針カバー４の針先方向への移動が規制されるようになっている。【００１７】  キャップ５は一端を開口した合成樹脂の成型品からなり、その一端開口縁にはフランジ部５ａが設けられている。キャップ５の内周面一端側には軸方向に延びる複数のリブ５ｂが互いに周方向に間隔をおいて突設され、各リブ５ｂはハブ２のリブ２ｃに周方向に係止可能に形成されている。また、キャップ５の内周面他端側には針カバー���の第１の係止部４ａに係止可能な係止部５ｃが周方向計４箇所に等間隔で突設されている。この場合、互いにキャップ５の径方向に対向する係止部５ｃ同士の間隔は針カバー４の第１の係止部４ａの外径よりも若干小さく形成されており、キャップ５を軸方向に強制的に移動させることにより、各係止部５ｃが径方向に弾性変形して針カバー４の第１の係止部４ａを乗り越えるようになっている。また、キャップ５の外周面には軸方向に延びる複数のリブ５ｄが互いに周方向に間隔をおいて突設されている。【００１８】  以上の構成からなる注射針は、図５（ａ）に示すようにハブ２、針本体３及び針カバー４を互いに組付けた状態でキャップ５内に収容され、キャップ５は開口部を覆う図示しない蓋によって密封される。この場合、針カバー４の第１の係止部４ａはキャップ５の各係止部５ｃに対して針本体３の基端側に位置している。【００１９】  ここで、前記注射針を使用する場合は、図示しない蓋を除去してキャップ５の開口部を開放し、図５（ｂ）に示すようにキャップ５を付けた状態でハブ２を注射器本体１の注射液吐出口１ａに装着する。この場合、キャップ５を軸回りに回転させてハブ２のネジ部２ｄを注射器本体１のネジ部１ｃに螺合することにより、ハブ２が注射器本体１に装着される。その際、キャップ５のリブ５ｂがハブ２のリブ２ｃに周方向に係止することによりキャップ５とハブ２が一体に回転し、キャップ５の外周面の各リブ５ｄはキャップ５を把持する指先の滑り止めとなる。【００２０】  次に、図６（ａ）に示すようにキャップ５を針先方向に移動させると、キャップ５の各係止部５ｃが針カバー４の第１の係止部４ａに針本体３の基端側から係止しているため、針カバー４がキャップ５と共に針先方向に移動し、針カバー４によって針本体３の先端側が覆われる。そして、更にキャップ５に針先方向への力を加えると、図６（ｂ）に示すようにキャップ５の各係止部５ｃが針カバー４の第１の係止部４ａを乗り越え、キャップ５が取外される。その際、針本体３の先端側は針カバー４によって覆われているため、誤ってキャップ５を取外時に接触させても、キャップ５が針本体３に直接接触することがなく、針本体３に曲げ方向の外力が加わることがない。また、針本体３が針カバー４によって覆われているため、指先が針本体３に直接接触することもない。【００２１】  キャップ５を取外した後、図７に示すように針本体３の先端を患者の人体Ｂに穿刺すると、針カバー４が人体Ｂとの当接により人体Ｂ側への移動を阻止されながら延出部２ａに対して相対移動し、針本体３が人体Ｂ内に挿入される。これにより、注射器本体１内の薬液Ａが針本体３から人体Ｂ内に吐出可能となる。また、注射が完了した後は、針カバー４を針先方向に移動して針本体３の先端側を覆っておけば安全である。【００２２】  使用後にキャップ５を取付ける場合は、図８（ａ）に示すようにキャップ５を針本体３側に被せると、キャップ５の各係止部５ｃが針カバー４の第１の係止部４ａに針本体３の先端側から係止し、図８（ｂ）に示すように針カバー４がキャップ５と共に針本体３の基端方向に移動してハブ２の一端面に当接する。そして、更にキャップ５に針本体３の基端方向への力を加えると、図８（ｃ）に示すようにキャップ５の各係止部５ｃがキャップ５の径方向外側に向かって弾性変形して針カバー４の第１の係止部４ａを乗り越え、キャップ５が取付けられる。【００２３】  また、使用済みの注射針を廃棄する場合には、キャップ５を装着時の反対方向に回転させてハブ２と注射器本体１との螺合を解除することにより、ハブ２、針本体３及び針カバー４がキャップ５内に収容された状態で取外される。その際、針カバー４の第１の係止部４ａはキャップ５の各係止部５ｃに対して針本体３の基端側に位置していることから、第１の係止部４ａと各係止部５ｃとの係止により、ハブ２、針本体３及び針カバー４がキャップ５から脱落することがない。【００２４】  以上説明したように、本実施形態の注射針によれば、針本体３の軸方向に移動自在に設けられた針カバー４を備え、針本体３を覆うキャップ５をハブ２から取外すと、キャップ５に設けた係止部５ｃが針カバー４の第１の係止部４ａに係止して針カバー４がキャップ５と共に針本体３の先端側に移動し、針カバー４によって針本体３の先端側が覆われるようにしたので、キャップ５の取外時または取外後に針本体３に曲げ方向の外力が直接加わることがなく、針曲がりや針折れを確実に防止することができる。また、キャップ５と針カバー４との係止により針カバー４を針本体３の先端側に移動させることができるので、針カバー４を針本体３の先端側に移動させるためのスプリングを用いたり、或いは針カバー４を伸縮自在な複雑な形状にする必要がなく、低コストで容易に製造することができる。【００２５】  更に、針カバー４を筒状に形成してハブ２に設けた延出部２ａに軸方向に移動自在に係合したので、針カバー４を簡単な構造により確実に針本体３の軸方向に移動させることができ、製造時の加工を極めて容易に行うことができる。【００２６】  また、キャップ５の係止部５ｃを弾性変形により針カバー４の第１の係止部４ａを軸方向に乗り越えるように形成したので、キャップ５と針カバー４との係止操作及び係止解除操作を容易に行うことができ、操作性の向上を図ることができる。【００２７】  この場合、針カバー４の第１の係止部４ａを針カバー４の径方向に突出するようにフランジ状に形成するとともに、キャップ５の係止部５ｃをキャップ５の内周面の複数箇所に互いに周方向に間隔をおいて突設したので、針カバー４の第１の係止部４ａに周方向何れの位置においてもキャップ５の係止部５ｃを係止することができ、キャップ５と針カバー４を確実に係止させることができる。
【図面の簡単な説明】
【００２８】
【図１】本発明の注射針が装着される注射器の斜視図
【図２】針カバー及びハブの側面断面図
【図３】キャップの側面断面図
【図４】注射針の装着工程を示す斜視図
【図５】注射針の装着工程を示す側面断面図
【図６】注射針の装着工程を示す側面断面図
【図７】人体への穿刺動作を示す側面断面図
【図８】キャップの装着工程を示す斜視図
【符号の説明】
【００２９】  １…注射器本体、１ａ…注射液吐出口、２…ハブ、２ａ…延出部、３…針本体、４…針カバー、４ａ…第１の係止部、５…キャップ、５ｃ…係止部。
【図１】
2005152541.tif 000003
【図２】
2005152541.tif 000004
【図３】
2005152541.tif 000005
【図４】
2005152541.tif 000006
【図５】
2005152541.tif 000007
【図６】
2005152541.tif 000008
【図７】
2005152541.tif 000009
【図８】
2005152541.tif 000010